(57)【特許請求の範囲】
【請求項１】
有益薬剤を送達するための装置であって、
その中に画定された流体リザーバを有するカセット筐体を含むカセットであって、カセット筐体はカセット基部領域を有し、カセット基部領域は、後面と、後面とは反対側の前面とを有し、カセット基部領域は、カセット基部領域の後面および前面の間にカセット基部領域の後面および前面を通して延在する開口部を有する境界を有する、カセットと、
流体リザーバと流体的に結合されている送達管と、
流体駆動コンポーネントを有するポンプアセンブリを包含するポンプ筐体を含むポンプであって、ポンプ筐体はカセット基部領域を受容するための受容領域を有し、流体駆動コンポーネントは受容領域に近接して設けられている、ポンプと、
ポンプ筐体に結合され、開放位置と閉鎖位置との間で移動可能な係止部材とを備え、
カセットは、係止部材が開放位置にあるときに、受容領域の中に挿入され、そこから抜去されることが可能であるように構成されており、
カセットは、係止部材が閉鎖位置にあるときに、開口部を通して係止部材とともに受容領域によって受容されるカセット基部領域の境界と、流体駆動コンポーネントと動作可能に係合した送達管の長さとを用いて、ポンプに固定されるように構成されている、装置。
【請求項２】
係止部材に動作可能に結合されたアライメントピンをさらに備え、開放位置と閉鎖位置との間の係止部材の移動は、アライメントピンの少なくとも一部をカセット筐体と係合させるように延在させる、請求項１に記載の装置。
【請求項３】
カセット筐体が、係止部材が閉鎖位置に向かって移動するときにアライメントピンを受容するように、カセット基部領域に近接した受容陥凹を画定する、請求項２に記載の装置。
【請求項４】
受容陥凹が閉鎖末端に向かって先細っている、請求項３に記載の装置。
【請求項５】
受容陥凹が、カセット本体領域からカセット基部領域の中まで突起しているアライメント突起によって画定される、請求項３に記載の装置。
【請求項６】
アライメントピンが先細末端を備える、請求項２に記載の装置。
【請求項７】
係止部材が突起を備え、アライメントピンは、アライメントピンを係止部材に動作可能に結合するように係止部材と係合する突起を受容するためのノッチを備える、請求項２に記載の装置。
【請求項８】
受容領域が、係止部材に機械的に結合されたねじりバネをさらに備える、請求項１に記載の装置。
【請求項９】
係止部材がラッチである、請求項１に記載の装置。
【請求項１０】
ラッチがラッチカム表面をさらに備え、
ポンプは、受容領域に近接して設けられ、閉塞ブロックカム表面を有する、閉塞ブロックをさらに備え、閉塞ブロックは、ラッチカム表面に対して閉塞ブロックカム表面を押し進めるように付勢される、
請求項９に記載の装置。
【請求項１１】
ラッチカム表面および閉塞ブロックカム表面が、ラッチが開放位置から閉鎖位置に向かって移動するときに、流体駆動コンポーネントに対して機能的関係に蠕動管を保持するように閉塞ブロックを動作位置に向かって押し進めるように構成されている、請求項１０に記載の装置。
【請求項１２】
ラッチカム表面および閉塞ブロックカム表面が、ラッチの連続移動が開放位置から閉鎖位置まで継続している間に閉塞ブロックが動作位置に残る不感帯を画定するように構成されている、請求項１１に記載の装置。
【請求項１３】
不感帯が、開放位置から閉鎖位置へのラッチの最後の１０度の移動によって確定される、請求項１２に記載の装置。
【請求項１４】
ラッチが、ヒンジ上に実装された旋回ラッチを備える、請求項９に記載の装置。
【請求項１５】
ラッチが、摺動移動するように実装されたドローラッチを備える、請求項９に記載の装置。
【請求項１６】
流体リザーバ内に包含された有益薬剤をさらに備える、請求項１に記載の装置。
【請求項１７】
有益薬剤がレビドパおよびカルビドパのうちの１つ以上を備える、請求項１６に記載の装置。
【発明の詳細な説明】
【技術分野】
【０００１】
本明細書は、その各々が参照により全体として本明細書に組み込まれる、２０１３年１２月３１日出願の米国特許仮出願第６１／９２２，７２１号、２０１４年９月２３日出願の米国特許仮出願第６２／０５４，１５３号、２０１４年１２月３０日出願の米国特許出願第１４／５８６，９１２号、および２０１４年１２月３０日出願の米国特許出願第１４／５８６，９１６号の優先権を主張する。
【０００２】
開示される内容は、たとえば有益薬剤をユーザに送達するためなど、流体を制御および送達するための装置、システムおよび方法に関する。
【背景技術】
【０００３】
流体状の有益薬剤を制御および送達するために、様々な流体輸送装置およびシステムが開発されてきた。このような流体流システムは、１）容量型ポンプを用いる容積ベースの吸引流れシステム、および２）真空源を用いる真空ベースの吸引システムを、含むことができる。たとえば、容積吸引システムは、ユーザへの治療薬送達のための蠕動ポンプを含む。その中の流れを誘発するように可撓性配管に対して押圧するための回転ローラの使用など、様々な形態の蠕動ポンプが知られている。可撓性配管を介して有益薬剤流体源を提供するように、カセットシステムまたはその他のリザーバ構成がポンプと結合可能である。
【発明の概要】
【発明が解決しようとする課題】
【０００４】
このような装置およびシステムは、ユーザによって装着または担持されることが可能な携帯用輸液ポンプとして特に有益である。しかしながら、このような装置およびシステムの改良の必要性が残っている。このような改良は、とりわけ、エネルギー消費および電池寿命の改善、ポンプ効率および制御の改善、快適性および人間工学性の向上、ならびにリザーバ内容物へのより完全なアクセスのためのカセット構成の改善を含む。
【課題を解決するための手段】
【０００５】
開示内容の目的および利点は、以下の説明に明記されるとともにそこから明らかとなるものであり、また開示内容の実践からも得られるだろう。開示内容のさらなる利点は、明細書およびその請求項において、また添付図面からも特に指摘される方法およびシステムによって、実現および達成されるだろう。
【０００６】
具体化されて幅広く説明されるように、これらおよびその他の利点を実現するため、および開示内容の目的にしたがって、開示内容はポンプ用の薬物送達リザーバカセットを含み、ポンプは開放位置と閉鎖位置との間で移動可能な係止部材を有する。カセットは一般的に、カセット本体領域およびカセット基部領域を含むカセット筐体を含む。カセット筐体は、前面、後面、および横側壁を有する。カセット筐体は、横側壁の間に延在する横軸、および横軸に対して直角な縦軸を画定する。カセット本体領域は、その中に流体リザーバチャンバを画定する。本明細書において具体化されるように、限定目的ではなく説明目的のため、カセット基部領域はカセット本体領域から縦軸に沿って設けられることが可能である。カセット基部領域は、ポンプによって受容されるように構成された境界を有する。本明細書に開示されるように、カセット基部領域は、単独でまたは組み合わせて、ポンプによって受容されるときにカセットを揃えて固定するための、１つ以上の特徴を含むことができる。
【０００７】
開示されるカセット基部領域の一態様によれば、境界は、縦軸の両側に設けられた１対のレールを含むことができる。本明細書において具体化されるように、１対の対向するレールは、縦軸の周りで実質的に対称的であってもよい。対向するレールの各々は、境界の隣接部分に対して陥凹していてもよい。１対の対向するレールは、縦軸に対して横軸に沿って揃えられてもよい。対向するレールの各々は、横軸と略平行な当接面を画定することができる。
【０００８】
さらに、および本明細書において具体化されるように、カセット基部領域は、閉鎖位置にあるときに係止部材と係合するように構成された、係合面を含むことができる。１対のレールは、縦軸に沿った方向に係合面から離間していてもよい。境界はまた、縦軸と平行に揃えられたアライメントキーを含むこともでき、ポンプからのアライメントピンを受容するための受容陥凹を画定することもできる。アライメントキーは、縦軸に沿った方向に１対のレールから、および係合面から、離間していてもよい。カセットは、流体リザーバチャンバから延在する送達管アセンブリをさらに含むことができ、カセット基部領域は送達管と係合した境界から突起している支持リブを含むことができる。カセット基部領域は、カセット筐体の末端に近接する平面を含むことができる。平面は２つの平面部分を含むことができる。加えて、または代わりに、カセット基部領域は、ポンプの対応する表面と一致するように構成された輪郭表面を含むことができる。たとえば、輪郭表面は、平面視で境界に向かって配向された凹形状を有することができる。輪郭表面は、縦軸の周りで実質的に対称的であってもよい。
【０００９】
開示されるカセットの別の態様によれば、カセット基部領域は、閉鎖位置にあるときに係止部材によって係合されるように構成された係合面を含むことができる。係合面は、カセット筐体の後面と実質的に同一平面にあってもよい。あるいは、係合面は、カセット基部領域の後面に対して陥凹した陥凹域を含むことができる。陥凹域は、閉鎖位置にあるときに係止部材を受容する形状になっていてもよい。本明細書において具体化されるように、陥凹域は、カセット筐体の末端に向かって平面視において縮小または小型断面寸法となるように先細っていてもよい。
【００１０】
さらに、および本明細書において具体化されるように、係合面は、縦軸の両側に１対の係合面部分を含むことができる。１対の係合面部分は、縦軸の周りで実質的に対称的であってもよい。係合面は、細長いストリップを含むことができる。係合面は、縦軸を横切る単一ブリッジを含むことができる。本明細書に開示されるようなカセットの付加的な特徴は、この態様の係合面と組み合わせ可能である。
【００１１】
上記に示されるような開示されるカセットの別の態様によれば、カセット基部領域は、縦軸と平行に揃えられ、ポンプからアライメントピンを受容するための受容陥凹を画定する、アライメントキーを含むことができる。アライメントキーは、横側壁の間に中心を置くことができる。アライメントキーはカセット本体領域からカセット基部領域の中まで突起することができ、特にアライメントキーは境界の中まで突起することができる。アライメントキーは、受容陥凹を画定するように溝型になっていてもよい。加えて、または代わりに、受容陥凹は縦軸に沿って先細っていてもよい。本明細書に開示されるようなカセットの付加的な特徴は、この態様のアライメントキーと組み合わせ可能である。
【００１２】
上記に示されるような開示されるカセットの別の態様によれば、流体リザーバチャンバから延在する送達管アセンブリが提供されることが可能である。カセット基部領域は、送達管と係合した境界から突起している支持リブを含むことができる。支持リブは、１対の支持リブ部分を含むことができる。送達管アセンブリは、蠕動管を受容するように１対の末端継手を含むことができ、支持リブは実質的に、１対の末端継手の間に揃えられることが可能である。本明細書に開示されるようなカセットの付加的な特徴は、この態様の支持リブと組み合わせ可能である。
【００１３】
開示内容の別の態様によれば、有益薬剤を送達するための装置が提供される。装置は一般的に、ポンプおよびカセットを含む。ポンプは、流体駆動コンポーネントを有するポンプアセンブリを包含するポンプ筐体を含む。ポンプ筐体は、流体駆動コンポーネントに近接して設けられた受容領域を有する。カセットは、本明細書に説明される特徴のいずれの組み合わせも含むことができる。
【００１４】
開示内容の別の態様、およびさらに上記によれば、有益薬剤を送達するための装置が提供される。装置は一般的に、カセット、ポンプ、送達管、および係止部材を含む。カセットは、その中に画定された流体リザーバを有するカセット筐体を含む。カセット筐体はカセット基部領域を有する。送達管は、流体リザーバと流体的に結合されている。ポンプは、流体駆動コンポーネントを有するポンプアセンブリを包含するポンプ筐体を含む。ポンプ筐体は、カセット基部領域を受容するための受容領域を有する。流体駆動コンポーネントは、受容領域に近接して設けられている。係止部材は、ポンプ筐体に結合されており、開放位置と閉鎖位置との間で移動可能である。カセットは、係止部材が開放位置にあるときに、受容領域の中に挿入され、そこから抜去されることが可能である。カセットは、係止部材が閉鎖位置にあるときに、受容領域内のカセット基部領域、および流体駆動コンポーネントと動作可能に係合した送達管の長さを用いて、ポンプに固定される。
【００１５】
加えて、および本明細書において具体化されるように、アライメントピンは係止部材に動作可能に結合されることが可能である。開放位置と閉鎖位置との間の係止部材の移動は、アライメントピンの少なくとも一部をカセット筐体と係合させるように延在させることができる。カセット筐体は、係止部材が閉鎖位置に向かって移動するときにアライメントピンを受容するように、カセット基部領域に近接した受容陥凹を画定することができる。受容陥凹は、閉鎖末端に向かって先細っていてもよい。受容陥凹は、カセット本体領域からカセット基部領域の中まで突起しているアライメントキーによって、画定されることが可能である。たとえば、カセット基部領域は、アライメントピンを受容するための受容陥凹を有するアライメントキーを含むことができる。アライメントピンは、先細末端を含むことができる。係止部材は突起を含むことができ、アライメントピンは、アライメントピンを係止部材に動作可能に結合するように係止部材と係合する突起を受容するためのノッチを含むことができる。
【００１６】
さらに、および本明細書において具体化されるように、係止部材はラッチを含むことができるが、これはカムレバーとして構成されることが可能である。受容領域は、ラッチを開放位置に向かって付勢するようにラッチと機械的に結合された、ねじりバネをさらに含むことができる。
【００１７】
加えて、および本明細書において具体化されるように、ラッチはラッチカム表面をさらに含むことができ、ポンプは、受容領域に近接して設けられ、閉塞ブロックカム表面を有する、閉塞ブロックをさらに含むことができる。閉塞ブロックは、ラッチカム表面に対して閉塞ブロックカム表面を押し進めるように付勢されることが可能である。ラッチカム表面および閉塞ブロックカム表面は、ラッチが開放位置から閉鎖位置に向かって移動するときに、流体駆動コンポーネントに対して機能的関係に蠕動管を保持するため閉塞ブロックを動作位置に向かって押し進めるように構成されることが、可能である。ラッチカム表面および閉塞ブロックカム表面は、ラッチの連続移動が開放位置から閉鎖位置まで継続している間に閉塞ブロックが動作位置に残る不感帯を画定するように構成されている。たとえば、不感帯は、閉塞ブロックの対応する移動を伴わない、開放位置から閉鎖位置へのラッチの最後の１０度の移動によって、画定されることが可能である。ラッチは、ヒンジ上に実装された旋回ラッチを含むことができる。あるいは、ラッチは摺動移動するように実装されたドローラッチを含むことができる。
【００１８】
開示内容の別の態様、およびさらに上記によれば、有益薬剤を送達するための装置が提供される。装置は一般的に、カセット、ポンプ、送達管、および係止部材を含む。カセットは、その中に画定された流体リザーバを有するカセット筐体を含む。カセット筐体はカセット基部領域を有し、カセット基部領域は、ＲＦＩＤタグを収容する無線周波数識別（ＲＦＩＤ）シェルを含む。送達管は、流体リザーバと流体的に結合されている。ポンプは、ＲＦＩＤリーダおよび流体駆動コンポーネントを有するポンプアセンブリを包含する、ポンプ筐体を含む。ポンプ筐体は、カセット基部領域を受容するための受容領域を有する。ＲＦＩＤリーダおよび流体駆動コンポーネントは、受容領域に近接して設けられている。係止部材は、ポンプ筐体に結合されており、開放位置と閉鎖位置との間で移動可能である。カセットは、係止部材が開放位置にあるときに、受容領域の中に挿入され、そこから抜去されることが可能である。カセットは、係止部材が閉鎖位置にあるときに、ＲＦＩＤリーダに近接して設けられたＲＦＩＤタグを有する受容領域内のカセット基部領域、および流体駆動コンポーネントと動作可能に係合した送達管の長さを用いて、ポンプに固定される。
【００１９】
加えて、本明細書において具体化されるように、ＲＦＩＤシェルは、カセット基部領域の隣接表面に対して隆起表面を含むことができる。隆起表面は、隣接表面に対して約２ｍｍの高さを有することができる。受容領域は、いずれもポンプ筐体の外側から測定した、２．５ｍｍの底半径および６．２５ｍｍの上半径を有するディンプルを含むことができる。ＲＦＩＤタグは、ＲＦＩＤシェルの中にモールド成形されることが可能である。加えて、または代わりに、ＲＦＩＤタグはＲＦＩＤシェルに接合されることが可能である。ＲＦＩＤタグは、そこにエンコードされた、カセットの識別情報を含むことができる。ＲＦＩＤタグは、そこにエンコードされた、流体リザーバ内に包含される有益薬剤の属性情報を含むことができる。属性情報は、有益薬剤の濃度、製造日、および使用期限のうちの１つ以上を含むことができる。
【００２０】
さらに、および本明細書において具体化されるように、受容領域は、その中に収容されたＲＦＩＤリーダを有するＲＦＩＤ受容領域を、さらに含むことができる。ＲＦＩＤ受容領域は、カセットがポンプ筐体の受容領域内にカセット基部領域を有するポンプに固定されるときに、ＲＦＩＤシェルと係合するように構成されることが可能である。ＲＦＩＤ受容領域は、ＲＦＩＤシェルと一致するように構成された形状を有することができる。たとえば、ＲＦＩＤシェルはカセット基部領域の隣接表面に対して隆起表面を含むことができ、ＲＦＩＤ受容領域は、カセットがポンプ筐体の受容領域内にカセット基部領域を有するポンプに固定されるときに隆起表面を受容するように構成されたディンプルを含むことができる。ＲＦＩＤシェルおよびＲＦＩＤ受容領域は、カセットがポンプ筐体の受容領域内にカセット基部領域を有するポンプに固定されるときに、ＲＦＩＤリーダの約５ｍｍ以内にＲＦＩＤタグを設けるように構成されることが可能である。ＲＦＩＤリーダは、ＲＦＩＤ受容領域がＲＦＩＤシェルと係合しているときにのみＲＦＩＤタグを読み取るように構成された検出範囲を有することができる。装置は、ＲＦＩＤリーダに結合され、ＲＦＩＤタグ上にエンコードされたカセットの識別情報を検証するように構成された、プロセッサをさらに含むことができる。加えて、または代わりに、プロセッサは、ＲＦＩＤリーダに結合され、ＲＦＩＤタグ上にエンコードされた有益薬剤の使用期限が超過していない場合にポンプの動作を可能にするように構成されることが、可能である。加えて、またはさらなる代替として、プロセッサは、ＲＦＩＤリーダに結合され、少なくとも部分的にＲＦＩＤタグ上にエンコードされた有益薬剤の濃度に基づいて１つ以上の投与選択肢を決定するように構成されることが、可能である。ＲＦＩＤタグは、高周波または超高周波無線ＩＤを含むことができる。
【００２１】
開示内容の別の態様、およびさらに上記によれば、ＲＦＩＤリーダ、カセットを受容するように構成された受容領域、および開放位置と閉鎖位置との間で移動可能な係止部材を有するポンプ向けの薬物送達リザーバカセットが、提供される。カセットは、その中に画定された流体リザーバを有するカセット筐体を含む。カセット筐体はカセット基部領域を有する。カセット基部領域は、ＲＦＩＤリーダによって読み取られるように構成されたＲＦＩＤタグを収容する無線周波数識別（ＲＦＩＤ）シェルを含む。カセットは、係止部材が開放位置にあるときに、受容領域の中に挿入され、そこから抜去されることが可能であり、カセットは、係止部材が閉鎖位置にあるときに、ＲＦＩＤリーダに近接して設けられたＲＦＩＤタグを有する受容領域内にカセット基部領域を有するポンプに固定される。
【００２２】
カセットは、本明細書に説明される特徴のいずれの組み合わせも含むことができる。たとえば、および本明細書において具体化されるように、ＲＦＩＤシェルは、カセット基部領域の隣接表面に対して隆起表面を備える。ＲＦＩＤシェルは、カセット基部領域の隣接表面に対して隆起表面を含むことができる。隆起表面は、隣接表面に対して約２ｍｍの高さを有することができる。受容領域は、いずれもポンプ筐体の外側から測定した、２．５ｍｍの底半径および６．２５ｍｍの上半径を有するディンプルを含むことができる。ＲＦＩＤタグはＲＦＩＤシェルの中にモールド成形されることが可能である。加えて、または代わりに、ＲＦＩＤタグはＲＦＩＤシェルに接合されることが可能である。ＲＦＩＤタグは、そこにエンコードされた、カセットの識別情報を含むことができる。ＲＦＩＤタグは、そこにエンコードされた、流体リザーバ内に包含される有益薬剤の属性情報を含むことができる。属性情報は、有益薬剤の濃度、製造日、および使用期限のうちの１つ以上を含むことができる。
【００２３】
本明細書において具体化されるように、様々な装置およびカセットのいずれも、流体リザーバの中に包含された有益薬剤を含むことができる。有益薬剤は、レボドパおよびカルビドパのうちの１つ以上を含むことができる。
【００２４】
なお、上記の一般的説明および以下の詳細な説明はいずれも例示的であり、請求される開示内容のさらなる説明を提供するように意図されるものではないことに、理解すべきである。
【００２５】
本明細書に組み込まれてその一部を構成する添付図面は、開示内容を説明してそのさらなる理解を提供するために含まれている。説明と併せて、図面もまた開示内容の原理を説明するのに役立つ。
【図面の簡単な説明】
【００２６】
【図１】開示内容による有益薬剤を送達するための例示的装置の分解斜視図である。
【図２】カセットがポンプによって受容され、係止部材が開放位置にある、図１の装置の斜視図である。
【図３】係止部材が閉鎖位置にある、図２の装置の斜視図である。
【図４Ａ】図１の装置の例示的カセットの斜視図である。
【図４Ｂ】図１の装置の例示的カセットの正面図である。
【図４Ｃ】図１の装置の例示的カセットの背面図である。
【図４Ｄ】図１の装置の例示的カセットの左側面図である。
【図４Ｅ】図１の装置の例示的カセットの右側面図である。
【図４Ｆ】図１の装置の例示的カセットの上面図である。
【図４Ｇ】図１の装置の例示的カセットの底面図である。
【図５Ａ】図１の装置の例示的ポンプの斜視図である。
【図５Ｂ】図１の装置の例示的ポンプの正面図である。
【図５Ｃ】図１の装置の例示的ポンプの背面図である。
【図５Ｄ】図１の装置の例示的ポンプの左側面図である。
【図５Ｅ】図１の装置の例示的ポンプの右側面図である。
【図５Ｆ】図１の装置の例示的ポンプの上面図である。
【図５Ｇ】図１の装置の例示的ポンプの底面図である。
【図６】開示内容によるポンプアセンブリの例示的実施形態の分解斜視図である。
【図７Ａ】図１のポンプの例示的係止部材の底面図である。
【図７Ｂ】図７Ａの線Ｂ−Ｂに沿った、例示的係止部材の断面図である。
【図７Ｃ】図７Ｂの例示的係止部材の断面の領域７Ｃの詳細図である。
【図７Ｄ】図７Ａの線Ｄ−Ｄに沿った、例示的係止部材の断面図である。
【図７Ｅ】図７Ａの例示的係止部材の部分背面図である。
【図７Ｆ】図７Ａの例示的係止部材の上面図である。
【図７Ｇ】図７Ａの例示的係止部材の底面斜視図である。
【図８Ａ】図２の線８Ａ−８Ａに沿った、例示的装置の断面図である。
【図８Ｂ】図３の線８Ｂ−８Ｂに沿った、例示的装置の断面図である。
【図９Ａ】図２の線９Ａ−９Ａに沿った、例示的装置の断面図である。
【図９Ｂ】係止部材が開放位置から閉鎖位置に向かって押し進められている、図９Ａの例示的装置の断面図である。
【図９Ｃ】係止部材が開放位置から閉鎖位置に向かってさらに押し進められている、図９Ａの例示的装置の断面図である。
【図９Ｄ】係止部材が完全に係合した、図３の線９Ｄ−９Ｄに沿った例示的装置の断面図である。
【図１０】図３の線１０−１０に沿った例示的装置の断面図である。
【図１１Ａ】開示内容によるポンプ筐体の膜の代替実施形態の拡大斜視図である。
【図１１Ｂ】開示内容によるポンプ筐体の膜の別の代替実施形態の拡大斜視図である。
【図１１Ｃ】開示内容によるポンプ筐体の膜のさらに別の代替実施形態の拡大斜視図である。
【図１２Ａ】電池カバードアが閉鎖位置にあり、選択された部分が説明目的のために切り取られている、図１のポンプの例示的電池カバードアの上面斜視図である。
【図１２Ｂ】電池カバードアが開放位置にあり、選択された部分が説明目的のために切り取られている、図１２Ａの例示的電池カバードアの上面図である。
【図１３】開示内容とともに使用するための例示的な送達管アセンブリおよび流体リザーバの平面図である。
【図１４Ａ】開示内容による蠕動ポンプ筐体の前閉鎖部分の別の例示的実施形態を示す図である。
【図１４Ｂ】開示内容による蠕動ポンプ筐体の前閉鎖部分の別の例示的実施形態を示す図である。
【図１４Ｃ】開示内容による蠕動ポンプ筐体の前閉鎖部分の別の例示的実施形態を示す図である。
【図１４Ｄ】開示内容による蠕動ポンプ筐体の前閉鎖部分の別の例示的実施形態を示す図である。
【図１４Ｅ】開示内容による蠕動ポンプ筐体の前閉鎖部分の別の例示的実施形態を示す図である。
【図１５Ａ】開示内容による蠕動ポンプ筐体の前閉鎖部分のさらに別の例示的実施形態の、異なる図である。
【図１５Ｂ】開示内容による蠕動ポンプ筐体の前閉鎖部分のさらに別の例示的実施形態の、異なる図である。
【図１５Ｃ】開示内容による蠕動ポンプ筐体の前閉鎖部分のさらに別の例示的実施形態の、異なる図である。
【図１６】開示内容による蠕動ポンプ筐体の後閉鎖部分の追加例示的実施形態を示す図である。
【図１７】開示内容による蠕動ポンプ筐体の後閉鎖部分の追加例示的実施形態を示す図である。
【図１８】開示内容による蠕動ポンプ筐体の後閉鎖部分の追加例示的実施形態を示す図である。
【図１９Ａ】開示内容による蠕動ポンプ筐体の後閉鎖部分の追加例示的実施形態を示す図である。
【図１９Ｂ】開示内容による蠕動ポンプ筐体の後閉鎖部分の追加例示的実施形態を示す図である。
【図２０】開示内容による輪郭筐体構成を有する送達装置の別の例示的実施形態を示す図である。
【図２１】開示内容による輪郭筐体構成を有する送達装置の別の例示的実施形態を示す図である。
【図２２】開示内容による輪郭筐体構成を有する送達装置の別の例示的実施形態を示す図である。
【図２３】開示内容による輪郭筐体構成を有する送達装置の別の例示的実施形態を示す図である。
【図２４】開示内容による輪郭筐体構成を有する送達装置の別の例示的実施形態を示す図である。
【図２５】開示内容による輪郭筐体構成を有する送達装置の別の例示的実施形態を示す図である。
【図２６】開示内容による異なる係止部材構成を有する送達装置の追加例示的実施形態を示す図である。
【図２７】開示内容による異なる係止部材構成を有する送達装置の追加例示的実施形態を示す図である。
【図２８Ａ】開示内容による輪郭筐体構成を有する送達装置のさらに別の例示的実施形態を示す図である。
【図２８Ｂ】開示内容による輪郭筐体構成を有する送達装置のさらに別の例示的実施形態を示す図である。
【図２８Ｃ】開示内容による輪郭筐体構成を有する送達装置のさらに別の例示的実施形態を示す図である。
【図２８Ｄ】開示内容による輪郭筐体構成を有する送達装置のさらに別の例示的実施形態を示す図である。
【図２９】開示内容によるポンプとカセットとの間のヒンジ係合を有する送達装置の追加例示的実施形態を示す図である。
【図３０】開示内容によるポンプとカセットとの間のヒンジ係合を有する送達装置の追加例示的実施形態を示す図である。
【図３１】開示内容によるポンプとカセットとの間のヒンジ係合を有する送達装置の追加例示的実施形態を示す図である。
【図３２】開示内容によるポンプとカセットとの間のヒンジ係合を有する送達装置の追加例示的実施形態を示す図である。
【図３３】開示内容によるポンプとカセットとの間のヒンジ係合を有する送達装置の追加例示的実施形態を示す図である。
【図３４】開示内容によるポンプとカセットとの間のヒンジ係合を有する送達装置の追加例示的実施形態を示す図である。
【図３５】開示内容によるポンプとカセットとの間のヒンジ係合を有する送達装置の追加例示的実施形態を示す図である。
【図３６】開示内容によるポンプとカセットとの間のヒンジ係合を有する送達装置の追加例示的実施形態を示す図である。
【図３７】開示内容によるポンプとカセットとの間のヒンジ係合を有する送達装置の追加例示的実施形態を示す図である。
【図３８】開示内容によるポンプとカセットとの間のヒンジ係合を有する送達装置の追加例示的実施形態を示す図である。
【図３９】開示内容によるポンプとカセットとの間のヒンジ係合を有する送達装置の追加例示的実施形態を示す図である。
【図４０】開示内容によるポンプとカセットとの間のヒンジ係合を有する送達装置の追加例示的実施形態を示す図である。
【図４１】開示内容によるポンプとカセットとの間のヒンジ係合を有する送達装置の追加例示的実施形態を示す図である。
【図４２Ａ】開示内容による輪郭筐体構成を有する送達装置の別の例示的実施形態を示す図である。
【図４２Ｂ】開示内容による輪郭筐体構成を有する送達装置の別の例示的実施形態を示す図である。
【図４２Ｃ】開示内容による輪郭筐体構成を有する送達装置の別の例示的実施形態を示す図である。
【図４３Ａ】開示内容による輪郭筐体構成を有する送達装置のさらに別の例示的実施形態を示す図である。
【図４３Ｂ】開示内容による輪郭筐体構成を有する送達装置のさらに別の例示的実施形態を示す図である。
【図４３Ｃ】開示内容による輪郭筐体構成を有する送達装置のさらに別の例示的実施形態を示す図である。
【図４３Ｄ】開示内容による輪郭筐体構成を有する送達装置のさらに別の例示的実施形態を示す図である。
【図４４】開示内容による異なる筐体構成を有する送達装置の追加例示的実施形態を示す図である。
【図４５】開示内容による異なる筐体構成を有する送達装置の追加例示的実施形態を示す図である。
【図４６】開示内容による異なる筐体構成を有する送達装置の追加例示的実施形態を示す図である。
【図４７】開示内容による異なる筐体構成を有する送達装置の追加例示的実施形態を示す図である。
【図４８】開示内容による異なる筐体構成を有する送達装置の追加例示的実施形態を示す図である。
【図４９】開示内容による異なる筐体構成を有する送達装置の追加例示的実施形態を示す図である。
【図５０】開示内容による異なる筐体構成を有する送達装置の追加例示的実施形態を示す図である。
【図５１】開示内容による異なる筐体構成を有する送達装置の追加例示的実施形態を示す図である。
【図５２】開示内容による異なる筐体構成を有する送達装置の追加例示的実施形態を示す図である。
【図５３】開示内容による異なる筐体構成を有する送達装置の追加例示的実施形態を示す図である。
【図５４】開示内容による異なる筐体構成を有する送達装置の追加例示的実施形態を示す図である。
【図５５】開示内容による異なる筐体構成を有する送達装置の追加例示的実施形態を示す図である。
【図５６】開示内容による異なる筐体構成を有する送達装置の追加例示的実施形態を示す図である。
【図５７】開示内容による異なる筐体構成を有する送達装置の追加例示的実施形態を示す図である。
【図５８】開示内容による異なる筐体構成を有する送達装置の追加例示的実施形態を示す図である。
【図５９】開示内容による異なる筐体構成を有する送達装置の追加例示的実施形態を示す図である。
【発明を実施するための形態】
【００２７】
ここで開示内容の様々な例示的実施形態が詳細に参照されるが、これらの例示的実施形態は添付図面に示されている。開示内容の構造および対応する動作方法および使用方法は、システムの詳細な説明と併せて説明される。
【００２８】
本明細書に提示される装置および方法は、薬物または生物学的薬剤などの様々な適切な治療薬または物質のいずれかを患者に投与するために使用されることが可能である。たとえば、および本明細書において具体化されるように、装置はカセットに接続されたポンプを含むことができ、これは流動性物質を包含する流体リザーバを含むことができ、送達管システムに接続されることが可能である。動作中、ポンプは配管システムを通じて流動性物質を送達するために、カセット上で動作することができる。このようにして、装置は、液体またはゲル状の剤型を含む、治療薬などの流動性物質の用量を、送達管システムを通じて患者に投与することができる。いくつかの実施形態において、流体治療薬は、１つ以上の医薬品または生物学的薬剤を含むことができる。たとえば、および非限定的に、このような流体治療薬の１つは、レボドパなどの中枢神経系作用薬であってもよい。中枢神経系作用薬は、単独で、またはたとえばおよび非限定的にカルビドパなどの脱炭酸酵素抑制剤と組み合わせて、投与されることが可能である。
【００２９】
開示内容の一態様によれば、ポンプ用の薬物送達リザーバカセットが提供される。ポンプは、後述されるような、開放位置と閉鎖位置との間で移動可能な係止部材を有する。カセットは一般的に、カセット本体領域およびカセット基部領域を含むカセット筐体を含む。カセット筐体は、前面、後面、および横側壁を有する。カセット筐体は、横側壁の間に延在する横軸、および横軸に対して直角な縦軸を、画定する。カセット本体領域は、その中に流体リザーバチャンバを画定する。本明細書において具体化されるように、限定目的ではなく説明目的のため、カセット基部領域はカセット本体領域から縦軸に沿って設けられることが可能である。カセット基部領域は、ポンプによって受容されるように構成された境界を有する。カセット基部領域は、ポンプによって受容されるときのカセットのアライメントおよび固定のため、本明細書に説明されるような１つ以上の特徴を含むことができる。
【００３０】
本明細書において具体化されるように、境界は、縦軸の両側に設けられた１対の対向するレールを含むことができる。たとえば、１対の対向するレールは、縦軸の周りで実質的に対称的であってもよい。対向するレールの各々は、境界の隣接部分に対して陥凹していてもよい。１対の対向するレールは、縦軸に対して横軸に沿って揃えられてもよい。対向するレールの各々は、横軸と略平行な当接面を画定することができる。
【００３１】
加えて、または代わりに、または本明細書に説明されるカセット基部領域の特徴のいずれかと組み合わせて、カセット基部領域は、閉鎖位置にあるときに係止部材によって係合されるように構成された係合面を含むことができる。たとえば、１対のレールは、組み合わせられた場合に、縦軸に沿った方向に係合面から離間していてもよい。本明細書において具体化されるように、係合面は、カセット筐体の後面と実質的に同一平面にあってもよい。あるいは、係合面は、カセット基部領域の後面に対して陥凹した陥凹域を含むことができる。陥凹域は、閉鎖位置にあるときに係止部材を受容する形状になっていてもよい。本明細書において具体化されるように、陥凹域は、カセット筐体の末端に向かって平面視において縮小または小型寸法となるように先細っていてもよい。
【００３２】
加えて、または代わりに、または本明細書に説明されるカセット基部領域の特徴のいずれかと組み合わせて、境界は、縦軸と平行に揃えられ、ポンプからアライメントピンを受容するための受容陥凹を画定する、アライメントキーを含むことができる。本明細書において具体化されるように、アライメントキーは、横側壁の間に中心を置くことができる。アライメントキーは境界の中まで突起することができる。アライメントキーは、カセット本体領域からカセット基部領域の中まで突起することができる。アライメントキーは溝型であってもよい。加えて、または代わりに、受容陥凹は縦軸に沿って先細っていてもよい。
【００３３】
加えて、または代わりに、または本明細書に説明されるカセット基部領域の特徴のいずれかと組み合わせて、カセットは流体リザーバチャンバから延在する送達管アセンブリを含むことができ、カセット基部領域は、送達管と係合した境界から突起している支持リブを含むことができる。本明細書において具体化されるように、支持リブは、１対の支持リブ部分を含むことができる。送達管アセンブリは、蠕動管を受容するように１対の末端継手を含むことができ、支持リブは実質的に、１対の末端継手の間に揃えられることが可能である。
【００３４】
加えて、または代わりに、または本明細書に説明されるカセット基部領域の特徴のいずれかと組み合わせて、カセット基部領域はカセット筐体の末端に近接した平面を含むことができる。平面は、２つの平面部分を含むことができる。
【００３５】
加えて、または代わりに、または本明細書に説明されるカセット基部領域の特徴のいずれかと組み合わせて、カセット基部領域は、ポンプの対応する表面と一致するように構成された輪郭表面を含むことができる。輪郭表面は、平面視で境界に向かって配向された凹形状を有することができる。輪郭表面は、縦軸の周りで実質的に対称的であってもよい。
【００３６】
開示内容の別の態様、およびさらに上記によれば、有益薬剤を送達するための装置が提供される。装置は一般的に、ポンプおよびカセットを含む。ポンプは、流体駆動コンポーネントを有するポンプアセンブリを包含するポンプ筐体を含む。ポンプ筐体は、流体駆動コンポーネントに近接して設けられた受容領域を有し、受容領域はカセットの少なくとも一部を受容するように構成されている。カセットは、本明細書に説明されるカセット基部領域の特徴のいずれかの組み合わせを含むことができる。
【００３７】
各図にわたって類似参照番号は同一のまたは機能的に類似の要素を指す、添付図面は、様々な実施形態をさらに説明し、いずれも開示内容による様々な原理および利点を説明するのに、役立つ。限定目的ではなく説明および図解目的のため、開示内容による、薬物送達リザーバカセットを含む、有益薬剤を送達するための装置の例示的実施形態が、図１から図１３に示される。
【００３８】
開示内容は用量の治療薬を投与するための送達装置に関連して説明されるが、当業者は、開示内容が説明的実施形態に限定されるものではないこと、および本明細書に開示される装置はそれを通じていずれか適切な物質を送達するように構成可能であることを、認識するだろう。加えて、構成要素、および送達装置を使用する方法は、本明細書に説明または描写される説明的実施形態に限定されるものではない。たとえば、本明細書において具体化される送達装置は、類似の恩恵および利点のためにその他の配管アセンブリおよびその構成要素とともに使用されることが可能であり、本明細書の送達配管との使用に限定されるものではない。
【００３９】
図１から図３の説明的実施形態を参照すると、送達装置１００は、カセット筐体１１を含むカセット１０を含む。カセット筐体１１はカセット本体領域１４を有することができる。カセット本体領域１４は、本明細書においてさらに説明されるように、カセット筐体１１の中に流体リザーバ１２（たとえば図１３に示される）を包含するための内側を画定することができる。カセット本体領域１４は、流体リザーバ１２を収容するためのいずれか適切な形状であってもよい。たとえば、および本明細書において具体化されるように、カセット本体領域１４は、カセット筐体１１の後面に近接する湾曲表面を画定する球状形状を有することができるが、これは類似のサイズおよび形状を有する流体リザーバ１２を収容することができる。本明細書において具体化されるように、カセット本体領域１４は、本明細書において説明されるようにユーザがカセット１０を挿入することまたはポンプ３０との係合から抜去することを容易にするため、テーブルなどの平坦な表面上にカセット筐体１１を置けるようにする、後面の反対側のカセット筐体１１の前面に近接した略平面を有することができる。
【００４０】
さらに、および本明細書において具体化されるように、カセット筐体１１は、本明細書においてさらに説明されるように、ポンプ機構３０と接続するためのカセット基部領域１３を有することができる。図示されるように、限定目的ではなく説明目的のため、カセット基部領域１３は、カセット１０に沿って画定されたカセット本体領域１４からの縦軸ａに沿って設けられるなど、縦軸に沿って設けられることが可能である。
【００４１】
送達装置１００はポンプ３０も含むことができ、これはポンプ筐体３１を含むことができる。図１から図３および図５Ａから図５Ｇを参照すると、ポンプ筐体３１は、カセット基部領域１３を受容するための受容領域３２を含むことができる。たとえば、および本明細書において具体化されるように、受容領域は、ポンプ３０の一端に設けられることが可能である。ここで図１から図３を参照すると、カセット基部領域１３は、受容領域３２の中に挿入されて、カセット１０との係合するように係止部材４０を閉鎖することによってポンプ３０に固定されることが可能である。本明細書において具体化されるように、限定ではなく説明のため、係止部材４０はレバーの形態であり、これはカセット１０を閉鎖する。このようにして、および図９Ａから図９Ｄに示されるように、係止部材４０はまた、本明細書においてさらに説明されるように、ポンピング機構３０に蠕動管２３を係合および固定するように構成されることも可能である。カセット１０は、係止部材４０が開放位置にあるときに、受容領域３２の中に挿入され、そこから抜去されることが可能である。係止部材４０が閉鎖位置にあるとき、カセット１０は、カセット基部領域１３を受容領域３２の中に設けられてポンプ３０からの離脱を抑制または防止された状態で、ポンプ３０に固定されることが可能である。
【００４２】
加えて、図５Ａから図５Ｂを参照すると、ポンプ筐体３１は、ユーザとの対話のための１つ以上の入力および出力を含むことができる。たとえば、および本明細書において具体化されるように、ポンプ筐体３１は、たとえば、および非限定的に、容量設定およびその他の装置設定を提供するため、そこに設けられた入力ボタン８５を含むことができる。入力ボタン８５は、いずれの適切な技術を用いて形成されることも可能である。たとえば、および本明細書において具体化されるように、入力ボタン８５は、ポンプ筐体３１の上にオーバモールドされてもよい。入力ボタン８５は、たとえば、および非限定的に、本明細書において説明されるように、ユーザがカセット１０を挿入することまたはポンプ３０との係合から抜去することを容易にするため、テーブルなどの平坦な表面上に伏せて設けられたときにポンプ筐体３１が滑るのを防止することができる、非限定的にＯＭ３０６０−１（ＧＬＳ  ＣｏｒｐｏｒａｔｉｏｎのＶｅｒｓａｆｌｅｘ（Ｒ））、ならびにＴＭ５ＡＤＴ、ＴＭ６ＡＤＴおよびＴＭ７ＡＤＴ（いずれもＫｒａｉｂｕｒｇ  ＴＰＥ  ＣｏｒｐｏｒａｔｉｏｎのＴＨＥＲＭＯＬＡＳＴ（Ｒ））など、ポンプ筐体３１の残部よりも高い静止摩擦係数を有する材料で、形成されることが可能である。ポンプ筐体３１はまた、出力ディスプレイ８６も含むことができる。出力ディスプレイ８６は、たとえば、および非限定的に、ＬＣＤまたはＬＥＤディスプレイまたはその他いずれか適切なディスプレイなど、ユーザに視覚情報を提供するのに適したいずれのディスプレイであってもよい。
【００４３】
ここで図４Ａから図４Ｇおよび図５Ａから図５Ｇを参照すると、限定目的ではなく説明目的のため、カセット１０は、受容領域３２の中の１つ以上の特徴を介してポンプ３０と揃えられるようにおよび／または固定されるように構成されることが、可能である。たとえば、および本明細書において具体化されるように、カセット基部領域１３は、ポンプの受容領域３２によって受容されるための境界２８を画定することができる。本明細書において具体化されるように、カセット基部領域１３は、受容領域３２の突起３３を受容するように構成された、１つ以上のレール２９（たとえば図４Ｂに示される）を含むことができる。たとえば図４Ｂに示されるように、カセット基部領域１３は１対の対向するレール２９を含むことができるが、これらはカセット１０によって画定された縦軸の両側に設けられてもよく、縦軸の周りで実質的に対称的であってもよい。加えて、および本明細書において具体化されるように、各レール２９は、境界２８の隣接部分に対して陥凹していてもよい。説明目的のために示されるように、レール２９は、カセット１０を横切って画定される横軸ｂに沿って揃えられてもよい。本明細書において具体化されるように、各レール２９はこうして横軸ｂと略平行な当接面を画定することができる。
【００４４】
加えて、および本明細書において具体化されるように、レール２９を受容するための突起３３は、ポンプ基部ブロック１（たとえば図６に示される）内に形成されることが可能である。説明目的のため、および本明細書において具体化されるように、ポンプ筐体３１は、ポンプ基部ブロック１の突起３３を受容するように構成された、１つ以上のスロット３９（たとえば、図１１Ａから図１１Ｃに示される）を含むことができる。あるいは、レール２９がカセット１０上に設けられてスロット３９がポンプ３０上に設けられるように、レールおよび突起の構成は逆であってもよい。
【００４５】
加えて、または代わりに、および本明細書において具体化されるように、カセット１０は、本明細書においてさらに説明されるように、閉鎖位置にあるときに係止部材４０によって受容および捕捉されることが可能な、係合面１７を介して固定および整列することが可能である。係合面１７は、カセット筐体１１の後面と実質的に同一平面にあってもよい。あるいは、係合面１７は、カセット筐体１７の後面に対して陥凹した陥凹域９２を含むことができる。説明目的のため、および本明細書において具体化されるように、陥凹域９２は、たとえば図２から図３に示されるように、閉鎖位置にあるときに係止部材４０の少なくとも一部を受容するおよび／またはこれと一致する形状になっていてもよい。このため、および本明細書において具体化されるように、陥凹域９２は、たとえば図４Ｃに示されるように、カセット筐体１１の末端８２に向かって断面寸法が小さくなるように先細っていてもよい。図４Ｂを参照すると、本明細書において具体化されるように、係合面１７は、係合機能部１７の周りで閉鎖されたときに係止部材４０によって係合される材料の細長いストリップとして、構成されることが可能である。このようにして、係合面１７は、縦軸ａを横切る単一ブリッジを形成することができる。あるいは、係合面１７は縦軸ａの両側に１対の係合面部分を含むことができ、いくつかの実施形態では、１対の係合面部分は、縦軸ａの周りで実質的に対称的であってもよい。
【００４６】
加えて、または代わりに、および本明細書において具体化されるように、カセット１０は、係止機構内のアライメントピン４１を介してポンプ３０に固定およびこれに揃えられることが可能である。このため、および本明細書において具体化されるように、カセット基部領域１３は、アライメントピン４１を受容するための受容陥凹を画定する、アライメントキー４４を含むことができる。限定目的ではなく説明目的のため、および本明細書において具体化されるように、アライメントキー４４は、カセット筐体１１の横側壁の間に中心を置くことができる。本明細書において具体化されるように、アライメントキー４４は境界２８の中まで突起することができ、いくつかの実施形態では、アライメントキー４４はカセット本体領域１４からカセット基部領域１３の中まで突起することができる。アライメントキー４４は、アライメントピン４１を受容するのに適したいずれの形状を有することもできる。たとえば非限定的に、アライメントキー４４は円筒形、溝型、またはその他いずれの適切な形状であってもよい。加えて、または代わりに、たとえば図８Ｂに示されるように、アライメントキー４４によって形成された受容陥凹は、その中のアライメントピン４１の受容およびアライメントを支援するように、縦軸ａに沿って先細っていてもよい。
【００４７】
限定目的ではなく説明目的のため、たとえば図５Ｃおよび図８Ａから図８Ｂに示されるように、係止部材４０は係止部材４０を開放位置に向かって押し進めるように、ねじりバネ４２などによって付勢されることが可能である。加えて、および本明細書において実現されるように、係止部材４０はピンドライバ４３を含むことができ、これはアライメントピン４１のノッチ４１ａ内に受容された突起４３ａを有することができる。本明細書において具体化されるように、ピンドライバ４３は、アライメントピン４１を使い捨てカセット筐体１１内の保持機能部４４から離すように、開放位置に向かう係止部材４０の動作時に押し進められることが可能である（たとえば図８Ａに示される）。図８Ｂを参照すると、係止部材４０が閉鎖位置に向かって移動するとき、係止部材４０は、アライメントピン４１をカセット筐体１１の保持機能部４４の中に押し込むように、ピンドライバ４３を押し進める。限定目的ではなく説明目的のため、本明細書において具体化されるように、アライメントピン４１は先細っていてもよい。アライメントピン４１の材料は、ステンレス鋼であってもよい。
【００４８】
加えて、または代わりに、本明細書においてさらに具体化されるように、カセット１０は、図４Ｂに示されるように支持リブ５４を含むことができる。このようにして、および本明細書において具体化されるように、ポンプ３０は配管案内リッジ５２を含むことができ（たとえば図５Ｃに示される）、これはカセット１０が受容領域３２の中に受容されたときに蠕動管２３と係合するかまたはこの運動を制限することができる。カセット１０が受容領域３２の中に受容されたとき、配管案内リッジ５２は、たとえば、および本明細書において具体化されるように、閉塞センサと係合するように蠕動管２３を案内するため、カセット基部領域１１上の支持リブ５４（たとえば図４Ｂに示される）と揃えられることが可能である。説明目的のため、および本明細書において具体化されるように、支持リブ５４は境界２８から突起することができる。加えて、および本明細書において具体化されるように、支持リブ５４は１対の支持リブ部分を含むことができる。あるいは、支持リブ５４は、単体の単一リブとして構成されることが可能である。図４Ｂに示されるように、限定目的ではなく説明目的のため、カセット筐体１１は、蠕動管２３を支持するように１対の末端継手２４ａ、２４ｂを含むことができ、もしあれば、支持リブ５４は、末端継手２４ａ、２４ｂと実質的に揃えられてもよい。
【００４９】
加えて、または代わりに、および本明細書において具体化されるように、カセット基部領域１３は、図１に示されるように、ポンプ３０の対応する輪郭末端８１と一致するように構成された、輪郭表面８０を含むことができる。限定目的ではなく説明目的のため、輪郭表面８０は、カセット基部領域１３の両側に近接してカセット基部領域１３に対して凹状輪郭を有する輪郭末端部分８０ａ、８０ｂを含むことができる。加えて、または代わりに、カセット基部領域１３は、カセット筐体１１の末端に近接して選択された平面８２を含むことができる。本明細書において具体化されるように、平面８２は、カセット筐体１１の横側壁に近接した平面部分８２ａ、８２ｂを含むことができる。カセット基部領域１３の平面８２は、ポンプ３０の受容領域３２の対応する平面８３と係合するサイズおよび形状になっていてもよい。
【００５０】
カセット基部領域のこれら様々な特徴は、要望通りに様々な組み合わせおよび配置に組み込まれることが可能である。たとえば非限定的に、カセットには、望ましければアライメントキーを有していない、レールおよび係合面が提供されてもよい。同様に、および非限定的に、カセットには、各々縦軸からずれた、１対のアライメントキーが設けられてもよい。
【００５１】
開示内容の別の態様によれば、有益薬剤を送達するための装置が提供される。装置は一般的に、カセット、ポンプ、送達管、および係止部材を含む。カセットは、その中に画定された流体リザーバを有するカセット筐体を含む。カセット筐体はカセット基部領域を有する。送達管は、流体リザーバと流体的に結合されている。ポンプは、流体駆動コンポーネントを有するポンプアセンブリを包含するポンプ筐体を含む。ポンプ筐体は、カセット基部領域を受容するための受容領域を有する。流体駆動コンポーネントは受容領域に近接して設けられている。係止部材は、ポンプ筐体に結合されており、開放位置と閉鎖位置との間で移動可能である。カセットは、係止部材が開放位置にあるときに、受容領域の中に挿入され、そこから抜去されることが可能である。カセットは、係止部材が閉鎖位置にあるときに、受容領域内のカセット基部領域、および流体駆動コンポーネントと動作可能に係合した送達管の長さを用いて、ポンプに固定される。
【００５２】
加えて、および本明細書において具体化されるように、アライメントピンは係止部材に動作可能に結合されることが可能である。開放位置と閉鎖位置との間の係止部材の移動は、アライメントピンの少なくとも一部をカセット筐体と係合させるように延在させることができる。カセット筐体は、係止部材が閉鎖位置に向かって移動するときにアライメントピンを受容するように、カセット基部領域に近接した受容陥凹を画定することができる。受容陥凹は、閉鎖末端に向かって先細っていてもよい。たとえば、受容陥凹は、カセット本体領域からカセット基部領域の中まで突起している、アライメントキーなど、アライメントキーによって画定されることが可能である。アライメントピンは、先細末端を含むことができる。アライメントピンを伸長位置に移動させるように、係止部材は突起を含むことができ、アライメントピンは、アライメントピンを係止部材に動作可能に結合するように係止部材と係合する突起を受容するためのノッチを含むことができる。さらに、本明細書において具体化されるように、係止部材はラッチを含むことができ、受容領域は、ラッチを開放位置に向かって押し進めるように係止部材と機械的に結合された、ねじりバネをさらに含むことができる。
【００５３】
加えて、および本明細書において具体化されるように、ラッチはラッチカム表面をさらに含むことができ、ポンプは、受容領域に近接して設けられ、閉塞ブロックカム表面を有する、閉塞ブロックをさらに含むことができる。閉塞ブロックは、ラッチカム表面に対して閉塞ブロックカム表面を押し進めるように付勢されることが可能である。ラッチカム表面および閉塞ブロックカム表面はこのように、ラッチが開放位置から閉鎖位置に向かって移動するときに、流体駆動コンポーネントに対して機能的関係に蠕動管を保持するため閉塞ブロックを動作位置に向かって押し進めるように構成されることが、可能である。ラッチカム表面および閉塞ブロックカム表面は、ラッチの連続移動が開放位置から閉鎖位置まで継続している間に閉塞ブロックが動作位置に残る不感帯を画定するように構成されることが可能である。不感帯は、開放位置から閉鎖位置へのラッチの最後の１０度の移動によって、画定されることが可能である。ラッチは、ヒンジ上に実装された旋回ラッチを含むことができる。あるいは、ラッチは摺動移動するように実装されたドローラッチを含むことができる。この態様の特徴は、上記の装置および方法の１つ以上の特徴と組み合わせられることが可能である。
【００５４】
図６を参照すると、ポンプ筐体３１は、流体駆動コンポーネントを有するポンプアセンブリ２００を含むことができる。ポンプアセンブリ２００は、たとえば蠕動ポンプとして構成されることが可能である。たとえば、蠕動ポンプは、モータ３、カムシャフト２、およびカムシャフト２の長さに沿って設けられた複数の指板３４を含むことができる。カムシャフト２は、カムシャフト２の縦軸ａの周りで回転するようにモータ３と結合されており、カムシャフト２の長さに沿って設けられた螺線状係合部分を画定する少なくとも１つの径方向外向き突起５を有する。複数の指板３４は、カムシャフト２の長さに沿って設けられている。各指板３４は、カムシャフト２の縦軸ａに対して横方向に移動するように実装されており、それを通じてカムシャフト２を受容するようにその中に画定された開口を有する。適切な流体駆動コンポーネントのさらなる詳細およびこれとともに使用するのに適したポンプの関連する特徴は、各々参照によりその全体が本明細書に組み込まれる、２０１４年１２月３０日出願の米国特許出願第１４／５８６，９２３号、２０１４年１２月３０日出願の米国特許出願第１４／５８６，９２７号、および２０１４年１２月３０日出願の米国特許出願第１４／５８６，９３０号に説明されている。
【００５５】
限定目的ではなく説明目的のため、本明細書において具体化されるように、係止部材４０は、旋回ラッチ、ドローラッチ、またはその他の適切なラッチ留め機構など、ラッチまたはカムレバーとして構成されることが可能である。たとえば図６および図７Ａから図７Ｇに示されるように、係止部材４０は旋回ラッチとして構成されることが可能である。係止部材４０は、本明細書においてさらに説明されるように、閉塞ブロックと係合するためのラッチカム表面４８を含むことができる。加えて、および本明細書において具体化されるように、係止部材４０は、係止部材４０の旋回運動を許容するためにヒンジピン４５を受容するため、ヒンジレセプタクル７５を含むことができる。本明細書において具体化されるように、ヒンジピン４５は、本明細書においてさらに説明されるように、係止部材４０とともにピンドライバ４３の旋回運動を許容するため、ピンドライバ４３を係止部材４０に係合させることも可能である。加えて、係止部材４０は、ねじりバネ４２などによって、開放位置に向かって付勢されることが可能である。さらに、および本明細書において具体化されるように、係止部材４０は、限定目的ではなく説明目的のため、本明細書において具体化されるように、本明細書においてさらに説明されるように、リードセンサを起動するための磁石など、閉鎖センサを受容するための閉鎖センサレセプタクル５５を含むことができる。図７Ａに示されるように、および本明細書において具体化されるように、係止部材４０は、本明細書においてさらに説明されるように、カセット基部領域１３の対応する陥凹と係合するサイズおよび形状の先細末端７６を含む。図７Ｆに示されるように、限定目的ではなく説明目的のため、係止部材４０は、係止部材４０を開放位置と閉鎖位置との間で移動させるため、たとえばユーザによる係止部材４０の係合を支援するための、１つ以上の隆起表面機能部７９を含むことができる。
【００５６】
ここで図９Ａから図９Ｄを参照すると、係止部材４０が閉鎖位置に移動するとき、ねじりバネ４２によって押し進められた係止部材４０は、レバーヒンジ４５の周りを旋回する。引張バネ４６は、係止部材４０のラッチカム表面４８に対して閉塞ブロック９の閉塞ブロックカム表面４７を押し進める。このため、および図９Ａから図９Ｄを参照すると、閉塞ブロック９は、たとえば図９Ｄに示されるように、閉鎖されたときに蠕動フィンガー３４に対して動作可能に蠕動管２３を配置するように適切な距離で、係止部材４０のストロークによって、位置決めされることが可能である。
【００５７】
たとえば図９Ｃに示されるように、係止部材４０を特定の回転角度αの範囲内、たとえば、および非限定的に、ポンプ３０に対しておよそ０ｏから１０ｏの範囲内として、係止部材レバーカム表面４８は、本明細書において具体化されるように、いわゆる「不感帯」に侵入する。つまり、「不感帯」の中では、係止部材４０はポンプ筐体３１に対して閉鎖およびラッチ留めし続けることが可能であり、その一方で閉塞ブロック９は、完全にラッチ留めされた状態で位置決めされたままとなる。このようにして、閉塞ブロック９は、係止部材４０が完全に閉鎖していなかったとしても蠕動フィンガー３４に対して適切に位置決めされ、このため閉塞ブロック９の位置に対する係止アセンブリの機械的公差の影響は低減されることが可能である。本明細書では係止部材４０の閉鎖センサレセプタクル５５内に設けられた磁石として具体化されている、閉鎖指示器、またはその他の適切な閉鎖要素は、本明細書では、係止部材４０が完全に閉鎖したときをポンプアセンブリが検出できるようにするように係止部材４０に近接したポンプ筐体３１内に設けられた磁場検出器として具体化されている、閉鎖センサによって検出されることが可能である。
【００５８】
たとえば図９Ｄに示されるように、係止部材４０を閉鎖位置に向かってさらに押し進めると、係止部材４０の遠位突起７２は、係止部材リリース７０を係止部材４０から離れる方へ押し進め、遠位突起７２をさらに移動させてリリース７０の対応する突起７３と係合するように、係止部材リリース７０のカム表面に沿って移動する。このようにして、係止部材４０は、バネ７４によって係止部材４０と係合するように付勢される、リリース７０の突起７３によって閉鎖位置に固定される。係止部材４０を解放するように、係止部材リリース７０は、本明細書に説明されるように開放位置で付勢されることが可能な係止部材４０が、本明細書において具体化されるようにねじりバネ４２によって、開放位置に押し進められることを可能にするように遠位突起７２との係合から外れるように突起７３を移動させるため、係止部材４０から離れる方へ押し進められることが可能である。
【００５９】
たとえば図６に示されるように、いくつかの実施形態において、機械的公差を考慮に入れて適切な閉塞距離を提供するために、組み立て中の調整を可能にするように、レバーヒンジピン４５に設定ネジ４９が提供されることが可能である。係止部材４０の表面を研磨することで、閉塞ブロック表面４７と係止部材４０との間の摩擦を低減することができる。カムレバーの粗さ平均は、約０．４μｍであってもよい。これは係止部材４０をタンブリング、陽極酸化、または研磨することのうちの１つ以上によって、達成可能である。加えて、閉塞ブロックカム表面４７に３０度の勾配を提供することで、係止部材４０の力の垂直成分を増加させることができる。
【００６０】
開示内容の別の態様、およびさらに上記によれば、有益薬剤を送達するための装置が提供される。装置は一般的に、カセット、ポンプ、送達管、および係止部材を含む。カセットは、その中に画定された流体リザーバを有するカセット筐体を含む。カセット筐体はカセット基部領域を有し、カセット基部領域は、ＲＦＩＤタグを収容する無線周波数識別（ＲＦＩＤ）シェルを含む。送達管は、流体リザーバと流体的に結合されている。ポンプは、ＲＦＩＤリーダおよび流体駆動コンポーネントを有するポンプアセンブリを包含する、ポンプ筐体を含む。ポンプ筐体は、カセット基部領域を受容するための受容領域を有する。ＲＦＩＤリーダおよび流体駆動コンポーネントは、受容領域に近接して設けられている。係止部材は、ポンプ筐体に結合されており、開放位置と閉鎖位置との間で移動可能である。カセットは、係止部材が開放位置にあるときに、受容領域の中に挿入され、そこから抜去されることが可能である。カセットは、係止部材が閉鎖位置にあるときに、ＲＦＩＤリーダに近接して設けられたＲＦＩＤタグを有する受容領域内のカセット基部領域、および流体駆動コンポーネントと動作可能に係合した送達管の長さを用いて、ポンプに固定される。
【００６１】
加えて、および本明細書において具体化されるように、ＲＦＩＤシェルは、カセット基部領域の隣接表面に対して隆起表面を含むことができる。隆起表面は、隣接表面に対して約２ｍｍの高さを有することができる。受容領域は、いずれもポンプ筐体の外側から測定した、２．５ｍｍの底半径および６．２５ｍｍの上半径を有するディンプルを含むことができる。ＲＦＩＤタグはＲＦＩＤシェルの中にモールド成形されることが可能である。加えて、または代わりに、ＲＦＩＤタグはＲＦＩＤシェルに接合されることが可能である。ＲＦＩＤタグは、そこにエンコードされた、カセットの識別情報を含むことができる。ＲＦＩＤタグは、そこにエンコードされた、流体リザーバ内に包含される有益薬剤の属性情報を含むことができる。属性情報は、有益薬剤の濃度、製造日、および使用期限のうちの１つ以上を含むことができる。
【００６２】
さらに、および本明細書において具体化されるように、受容領域は、その中に収容されたＲＦＩＤリーダを有するＲＦＩＤ受容領域を、さらに含むことができる。ＲＦＩＤ受容領域は、カセットがポンプ筐体の受容領域内にカセット基部領域を有するポンプに固定されるときに、ＲＦＩＤシェルと係合するように構成されることが可能である。ＲＦＩＤ受容領域は、ＲＦＩＤシェルと一致するように構成された形状を有することができる。たとえば、ＲＦＩＤシェルはカセット基部領域の隣接表面に対して隆起表面を含むことができ、ＲＦＩＤ受容領域は、カセットがポンプ筐体の受容領域内にカセット基部領域を有するポンプに固定されるときに隆起表面を受容するように構成されたディンプルを含むことができる。ＲＦＩＤシェルおよびＲＦＩＤ受容領域は、カセットがポンプ筐体の受容領域内にカセット基部領域を有するポンプに固定されるときに、ＲＦＩＤリーダの約５ｍｍ以内にＲＦＩＤタグを設けるように構成されることが可能である。ＲＦＩＤリーダは、ＲＦＩＤ受容領域がＲＦＩＤシェルと係合しているときにのみＲＦＩＤタグを読み取るように構成された検出範囲を有することができる。装置は、ＲＦＩＤリーダに結合され、ＲＦＩＤタグ上にエンコードされたカセットの識別情報を検証するように構成された、プロセッサをさらに含むことができる。加えて、または代わりに、プロセッサは、ＲＦＩＤリーダに結合され、ＲＦＩＤタグ上にエンコードされた有益薬剤の使用期限が超過していない場合にポンプの動作を可能にするように構成されることが、可能である。加えて、またはさらなる代替として、プロセッサは、ＲＦＩＤリーダに結合され、少なくとも部分的にＲＦＩＤタグ上にエンコードされた有益薬剤の濃度に基づいて１つ以上の投与選択肢を決定するように構成されることが、可能である。ＲＦＩＤタグは、高周波または超高周波無線ＩＤを含むことができる。
【００６３】
開示内容の別の態様、およびさらに上記によれば、ＲＦＩＤリーダ、カセットを受容するように構成された受容領域、および開放位置と閉鎖位置との間で移動可能な係止部材を有するポンプ向けの薬物送達リザーバカセットが、提供される。カセットは、その中に画定された流体リザーバを有するカセット筐体を含む。カセット筐体はカセット基部領域を有する。カセット基部領域は、ＲＦＩＤリーダによって読み取られるように構成されたＲＦＩＤタグを収容する無線周波数識別（ＲＦＩＤ）シェルを含む。カセットは、係止部材が開放位置にあるときに、受容領域の中に挿入され、そこから抜去されることが可能であり、カセットは、係止部材が閉鎖位置にあるときに、ＲＦＩＤリーダに近接して設けられたＲＦＩＤタグを有する受容領域内にカセット基部領域を有するポンプに固定される。
【００６４】
カセットは、本明細書に説明される特徴いずれの組み合わせも含むことができる。たとえば、および本明細書において具体化されるように、ＲＦＩＤシェルは、カセット基部領域の隣接表面に対して隆起表面を備える。ＲＦＩＤシェルは、カセット基部領域の隣接表面に対して隆起表面を含むことができる。隆起表面は、隣接表面に対して約２ｍｍの高さを有することができる。受容領域は、いずれもポンプ筐体の外側から測定した、２．５ｍｍの底半径および６．２５ｍｍの上半径を有するディンプルを含むことができる。ＲＦＩＤタグはＲＦＩＤシェルの中にモールド成形されることが可能である。加えて、または代わりに、ＲＦＩＤタグはＲＦＩＤシェルに接合されることが可能である。ＲＦＩＤタグは、そこにエンコードされた、カセットの識別情報を含むことができる。ＲＦＩＤタグは、そこにエンコードされた、流体リザーバ内に包含される有益薬剤の属性情報を含むことができる。属性情報は、有益薬剤の濃度、製造日、および使用期限のうちの１つ以上を含むことができる。これらの態様の特徴は、上記の装置および方法の１つ以上の特徴と組み合わせられることが可能である。
【００６５】
たとえば、および本明細書において具体化されるように、カセット１０は、ＲＦＩＤタグを収容するためのＲＦＩＤ封入シェルを含むことができる。ＲＦＩＤ封入シェルは、ポンプ３０内の対応するＲＦＩＤリーダとＲＦＩＤタグを係合させるように構成されることが可能である。図４Ｂおよび図１０を参照すると、限定目的ではなく説明目的のため、ＲＦＩＤ封入シェル１９は、カセット基部領域１３の中まで突起する隆起表面として成形されることが可能である。たとえば図１０に示されるように、ＲＦＩＤタグ１８は、いずれの適切な技術によってＲＦＩＤ封入シェル１９の中に設けられることも可能である。たとえば、および非限定的に、ＲＦＩＤタグ１８は、ＲＦＩＤ封入シェル１９の中に射出成形されることが可能である。あるいは、ＲＦＩＤタグ１８は、たとえばエポキシポッティングなどのポッティング技術によって、ＲＦＩＤ封入シェル１９に接合されることが可能である。
【００６６】
ここで図５Ｃおよび図１０を参照すると、本明細書において具体化されるように、ポンプ筐体３１は、ＲＦＩＤリーダ３７を収容するためのＲＦＩＤ受容領域３８を有することができ、カセット筐体１１のＲＦＩＤ封入シェル１９と係合することができる。ＲＦＩＤ受容領域３８は、ポンプ筐体３１の受容領域３２内に設けられたディンプルとして、構成されることが可能である。たとえば、および本明細書において具体化されるように、ディンプルは、１．９ｍｍの深さであってもよく、ポンプ筐体３１の外側から測定した、２．５ｍｍの底半径および６．２５ｍｍの上半径を含むことができる。ＲＦＩＤ封入シェル１９およびＲＦＩＤ受容領域３８は、以下にさらに詳細に説明されるように、カセット筐体１１およびポンプ筐体３１が互いに接続されたときに、ＲＦＩＤタグ１８がＲＦＩＤリーダ３７の５ｍｍ以内に設けられることを可能にするように、構成されることが可能である。限定目的ではなく説明目的のため、本明細書において具体化されるように、ＲＦＩＤリーダ３７は、ポンプ筐体３１の回路基板に埋め込まれることが可能である。ＲＦＩＤリーダ３７は、正方形または長方形のらせんなど、「箱形」であってもよく、多数の巻線によって形成されることが可能であり、本明細書では、ＰＣＢの２つの層の各々に７つずつの巻線を有する１４個のコイル巻線として実現されている。このため、ＲＦＩＤリーダ３７は、０．３６０”×０．３７２”の外側断面寸法を有することができ、０．２０４”×０．２２８”の内側断面寸法を有する中央開口を有することができる。このようにして、ＲＦＩＤリーダ３７は、ＲＦＩＤリーダ３７からさらに離れた別のＲＦＩＤタグが検出範囲外となるように、カセット筐体１１がポンプ筐体３１に接続されたときにＲＦＩＤタグ１８のみを検出するための検出範囲を持って構成されることが可能である。加えて、または代わりに、ＲＦＩＤリーダ３７は、複数のＲＦＩＤタグのどれがＲＦＩＤリーダ３７に近いかを判断するように構成されており、こうして複数のカセット筐体のどれがポンプ筐体３１に接続されているかを判断することができる。ＲＦＩＤリーダ３７は、低周波、高周波、または超高周波無線ＩＤを含むがこれらに限定されない、いずれの適切なＲＦＩＤ技術を利用することもできる。
【００６７】
ＲＦＩＤリーダ３７はまた、薬物カセットを識別し、ＲＦＩＤタグ１８内にエンコードされた情報を読み取るように構成されることも可能である。このようにして、システムは、ポンプとともに使用するために互換性または保証のないカセットを検出するため、または薬物カセットの偽造を防ぐために、使用されることが可能である。限定目的ではなく説明目的のため、ＲＦＩＤタグ１８は、そこにエンコードされたカセット１０の識別情報を含むことができる。加えて、または代わりに、ＲＦＩＤタグ１８は、そこにエンコードされた流体リザーバに包含される有益薬剤の属性情報を含むことができ、これは非限定的に、有益薬剤の濃度、製造日、および／または使用期限を含むことができる。ＲＦＩＤリーダ３７は、ＲＦＩＤタグ上にエンコードされたカセット１０の識別情報を受信および検証するように構成されることが可能なプロセッサに結合されることが可能であり、カセット１０の識別情報が検証された場合にのみポンプ３０の動作を可能にするように、さらに構成されることが可能である。加えて、または代わりに、プロセッサは、もしＲＦＩＤタグ１８上にエンコードされていれば、有益薬剤の使用期限を超過していない場合にのみ、ポンプ３０の動作を可能にするように構成されることが可能である。加えて、またはさらなる代替として、ＲＦＩＤリーダ３７に結合されたプロセッサは、ＲＦＩＤタグ１８上にエンコードされている場合、カセット１０の中に包含された有益薬剤の濃度に少なくとも部分的に基づいて、１つ以上の投与選択肢を決定するように構成されることが可能である。
【００６８】
本明細書において提供される筐体は、様々な構造および構成で作られることが可能である。たとえば非限定的に、図１から図３および図５Ｃを参照すると、ポンプ筐体３１は、後閉鎖部分３５および前閉鎖部分３６を含むことができる。本明細書において具体化されるような後閉鎖部分３５など、閉鎖部分のうちの１つは、蠕動ポンプの指板を覆うように、本明細書において具体化されるように、受容領域３２と流体駆動コンポーネントとの間に設けられた膜３７を含むことができる。このような構成において、蠕動ポンプの指板は、指と蠕動管２３との間に設けられた膜３７を用いて蠕動管２３を押すことになる。膜３７は、デブリおよび流体がポンピング機構と接触およびこれに干渉するのを防止することができる。膜３７は、熱成形または射出成形された膜であってもよく、これは後閉鎖部分３５上にオーバモールドされることが可能である。本明細書において具体化されるように、膜３７は、後閉鎖部分３５の末端から延在する長方形の突起を画定することができる。膜３７は、後閉鎖部分３５から延在して、膜３７の外面にわずかに丸みを帯びた角を形成する、垂直側面を画定することができる。加えて、または代わりに、膜３７は、緩やかな勾配で後閉鎖部分３５から膜３７の外面まで延在する第一側面を有することができ、後閉鎖部分３５から垂直に延在して膜３７の外面に近接する丸角を形成する、反対側面を有することができる。このようにして、蠕動管２３の入口側に近接して形成された緩やかな勾配は、蠕動管２３のより緩やかな圧縮を許容することができる。
【００６９】
さらに、および本明細書において具体化されるように、剛性を低減し、こうして膜３７を移動させて蠕動管２３と係合するようにポンプからより小さい力を利用するための寸法を有して材料を使用する膜３７が、形成される。たとえば、膜３７の厚さが増加すると、動作中にポンプによって印加される力が増加し、これにより利用される動力が増加して電池性能が低下する。このため、膜３７は、０．００９インチから０．０１９インチの間の厚さを有することができ、いくつかの実施形態では０．００９インチから０．０１５インチの間の厚さを有することができ、これは適切な電池消費でデブリおよび流体侵入からの適切な保護を提供することができる。可撓性を含む、膜３７の材料特性も、同様に電池性能に影響を及ぼす可能性がある。いくつかの実施形態において、膜はＥｌａｓｔｏｌｌａｎ  Ｃ８０Ａ、Ｅｓｔａｎｅ  ２１０３−９０Ａ、Ｅｌａｓｔｏｌｌａｎ  Ｓ８５Ａ、Ｅｌａｓｔｏｌｌａｎ  Ｓ９５Ａ、またはその他の適切な材料から形成されることが可能である。
【００７０】
ここで図１１Ａから図１１Ｃを参照して、膜３７の代替実施形態が示される。たとえば図１１Ａに示されるように、膜３７ａは膜３７ａの各末端に丸角を含むことができ、各丸角は、膜３７ａの中心に向かって内向きに先細っていてもよい。あるいは、たとえば図１１Ｂに示されるように、膜３７ｂは膜３７ｂの各末端に丸角を含むことができ、各丸角は、膜３７ｂの中心から離れる方へ外向きに先細っていてもよい。さらなる代替として、たとえば図１１Ｃに示されるように、膜３７ｃは、膜３７ｃの各末端に丸角を含むことができ、丸角のうちの１つは膜３７ｃの中心に向かって内向きに先細っており、丸角のうちの１つは膜３７ｃの中心から離れる方へ外向きに先細っている。各構成において、蠕動管２３の入口側および出口側に近接して形成された曲率は、蠕動管２３が圧縮後により容易に膨張できるようにする。たとえば、および非限定的に、本明細書において具体化されるように、入口側に近接する曲率は、蠕動管２３の入口側に近接する１つ以上の末端継手または接合部との接触を低減または防止することができる。加えて、または代わりに、出口側に近接して形成された曲率は、膜が閉塞センサから離れる方へ押し進められるのを防止または抑制することができる。膜３７、３７ａ、３７ｂ、および３７ｃは、デブリまたは液体がポンプ筐体３１に侵入するのを防止するのに、ならびに蠕動管２３の干渉および／またはこれと指板４との係合を回避するのに適したいずれかの厚さを有するように、形成されることが可能である。限定目的ではなく説明目的のため、本明細書において具体化されるように、膜３７、３７ａ、３７ｂ、および３７ｃは０．３３ｍｍの厚さを有することができる。
【００７１】
ここで図１２Ａから図１２Ｂを参照すると、限定目的ではなく説明目的のため、いくつかの実施形態において、ポンプ筐体３１は電池カバー６１１を含むことができる。電池カバー６１は、長さおよび幅を画定する長方形の形状を有することができる。いくつかの実施形態において、電池カバー６１は、幅に沿ってポンプ筐体３１とヒンジ接続されることが可能である（「納屋扉構成」と称される）。代替実施形態において、電池カバー６１は、長さに沿ってポンプ筐体３１とヒンジ接続されることが可能である（「テールゲート構成」と称される）。図１２Ａから図１２Ｂは、納屋扉構成の電池カバー６１を示す。本明細書において具体化されるように、ポンプ筐体３１はロッド６３を含むことができる。電池カバー６１は、「Ｃ」字型を有するヒンジ６２を含むことができる。Ｃ字型ヒンジ６２は、ポンプ筐体３１からあまりに遠くへ押し進められた場合に電池カバー６１をポンプ筐体３１から外れるようにして、ヒンジを損傷することもなく、電池カバー６１の再取付を可能にする。このようにして、電池カバーの過伸長からの電池カバー６１への損傷を防止することは、ユーザの不器用さに恩恵をもたらすことができる。電池カバー６１は、ラッチ突起６５と結合されたリリースボタン６４を含むことができる。たとえばラッチ突起６５から離れる方へリリースボタンを摺動させることによる、リリースボタン６４の作動は、ポンプ筐体３１から離れるような電池カバー６１のヒンジ運動を許容するように、ポンプ筐体３１内のラッチレセプタクル６６からラッチ突起を解放することができる。電池コンパートメントはまた、電池コンパートメントを絶縁して流体侵入から電池コンパートメントを保護するための、ガスケットも含むことができる。
【００７２】
ここで図１３を参照すると、本明細書において具体化されるように、カセット筐体１１は、その中に流体リザーバを包含することができる。たとえば、筐体自体が流体リザーバを画定することが可能であり、またはリザーバを画定するための追加構成要素がその中に包含されることも可能である。個別に提供される場合には、流体リザーバ１２はカセット筐体１１の中に設けられてもよい。たとえば、および本明細書において具体化されるように、カセット筐体１１は、２つの封入クラムシェル部分１７および１８を用いて構成されることが可能であり（たとえば図１から図３に示される）、これらは流体リザーバ１２を受容および包含することができる。２つのクラムシェル部分１７および１８は互いに接着されるか、またはたとえば超音波溶接によって接続されることが可能である。
【００７３】
本明細書において具体化されるように、流体リザーバ１２は可撓性パウチを含むことができ、これは様々な適切な形状のいずれを有することも可能である。パウチの両側は、たとえば熱溶接または高周波（ＲＦ）溶接などによって、流体リザーバ１２を形成するように外周の周りに固定されてもよい。流体リザーバ１２は浸漬管１４を有することができる。浸漬管１４は、たとえば、および非限定的に、ＳＵＮＬＩＴＥ製ＶＹＳＵＮ  １０２−８０−２６（非ＤＥＨＰ  ＰＶＣ）、ＤｕＰｏｎｔ製Ｅｌｖａｘ  ３１８２−２  ＥＶＡ、またはいずれか適切な配管材料から構成されることが可能である。本明細書において具体化されるように、浸漬管１４は、直径およそ２ｍｍの複数の開口が設けられて、およそ１０８から１１１ｍｍの範囲内の長さを有することができる。浸漬管１４は、望ましければ、または適切であれば、送達管として役立つように、流体リザーバ１２から延在することができる。あるいは、および本明細書において具体化されるように、カセット筐体１１の外部に設けられたアダプタが、浸漬管１４の近位末端に設けられ、これに結合されることが可能である。このようにして、個別の送達管は、ポンプ３０の動作によって流体リザーバ１２からユーザへの有益薬剤の送達のためのアダプタに結合されることが可能である。加えて、蠕動管は、ポンプ３０との相互作用のように浸漬管１４および／または送達管の間にまたはその一部として設けられることが可能である。
【００７４】
限定目的ではなく説明目的のため、このようなアダプタの例示的実施形態が図１３に描写されている。図示されるように、流体リザーバ１２は、カセット筐体１１の外部に設けられたアダプタ１５を含む。アダプタ１５は、浸漬管１４の近位末端に結合されることが可能である。本明細書において具体化されるように、浸漬管１４の近位末端に、ポリプロピレンあご付エルボー継手１６が設けられている。エルボー継手１６は、浸漬管１４の外側末端に接着されて、流体リザーバ１２と同一平面内に配向されることが可能である。蠕動管２３は、エルボー継手１６の反対端に取付または結合されることが可能である。たとえば、および本明細書において具体化されるように、蠕動管２３は、Ｓａｉｎｔ−Ｇｏｂａｉｎ製Ｂｉｏｓｉｌ  Ｐｒｅｃｉｓｉｏｎ配管材料から形成されることが可能である。蠕動管２３は、１．６ｍｍの内径および４．８ｍｍの外径を有することができる。接合継手２４は蠕動管２３に接続されており、送達管２０は接合継手２４に接着されることが可能である。このように、送達管２０は、流体リザーバ１２と流体結合することが可能である。
【００７５】
本明細書に説明される構成要素の各々は、意図される目的のためのいずれの適切な材料（たとえば、プラスチック、複合材、金属など）および技術で作られることも可能である。以下に請求される特定の実施形態に加えて、開示内容は、以下に請求される従属的な特徴および先に開示されたもののその他いずれか可能な組み合わせを有するその他の実施形態も、対象とする。このため、本明細書に開示される具体的特徴は、開示内容がその他いずれか可能な組み合わせを有するその他の実施形態も特に対象とするものとして認識されるように、別途開示内容の範囲内で互いに組み合わせられることが可能である。したがって、開示内容の特定の実施形態の上記説明は、図解および説明目的のために提示されたものである。これは包括的であるように、または開示されるこれら実施形態に開示内容を限定するように、意図されるものではない。
【００７６】
開示内容の装置および技術は、対応する容積または用量の様々な適切な流動性物質のいずれかの送達に使用可能である。
【００７７】
さらに本明細書に提示される開示内容によれば、広範なポンプ、カセット、および装置構成ならびに変形例が、利用可能である。限定目的ではなく説明目的のため、様々なこのような構成および変形例の代表的な実施形態が、図１４Ａから図５９に示されている。たとえば、図１４Ａから図１４Ｅおよび図１５は、開示内容による蠕動ポンプ筐体の前閉鎖部分の様々な追加例示的実施形態を示している。図１４Ａから図１４Ｅおよび図１５を参照すると、限定目的ではなく説明目的のため、望ましければポンプ筐体３１の前閉鎖部分３６に、付加的な特徴が提供可能である。たとえば、および本明細書において具体化されるように、ボタンには、筐体の前面から０．９５ｍｍ伸長するなど、隆起した縁または外形が提供可能である。さらに、ボタンの各々の機能表面は、たとえばボタンの中に向かって０．４５ｍｍ伸長する、陥凹を含むことができる。加えて、または代わりに、ボタンは、装置筐体の本体部品よりも高い摩擦係数を有する材料など、表面摩擦が強化された材料から形成されることが可能である。この構成において、ボタンは特定の利点を提供することができる。たとえば、陥凹部分に対するボタンの隆起した外周は、より容易に作動することが可能なボタンの中央にユーザの指を案内することができる。さらに使い捨てカセットのラッチ留め／ラッチ外しなどのために装置が伏せて置かれたとき、ボタン表面は、たとえばテーブルまたはその他の作業表面などの表面に沿った装置の側方移動を抑制または防止することができる。このため、ポンプは、たとえば使い捨てカセットまたは電池を交換するためなど、装置の保守を試みるときに、ユーザがポンプに対してより大きな力を印加できるようにするため、表面上に置かれたときのさらなる安定性を有することができる。図１４Ａから図１５に示される前閉鎖部分は各々、本明細書に説明されるその他の例示的装置の特徴のいずれの組み合わせも有することができる。
【００７８】
図１６から図１９は各々、開示内容による蠕動ポンプ筐体の後閉鎖部分の追加例示的実施形態を示す、異なる図である。図１６から図１９は、限定目的ではなく説明目的のため、開示内容による例示的な寸法および形状を有する後閉鎖部分３５を示す。図１６から図１９に示される後閉鎖部分は各々、本明細書に説明されるその他の例示的装置の特徴のいずれの組み合わせも有することができる。
【００７９】
図２０から図２５は各々、開示内容による輪郭筐体構成を有する送達装置の別の例示的実施形態を示す、異なる図である。図２０から図２５は、開示内容による送達装置の例示的実施形態の追加斜視図を示す。図２０から図２５を参照すると、開示内容による送達装置は、ユーザに対して着座したときに人間工学的により良く適合するわずかな湾曲を有する筐体を、含むことができる。図２０から図２５に示される送達装置は各々、本明細書に説明されるその他の例示的装置の特徴のいずれの組み合わせも有することができる。
【００８０】
図２６から図２７は各々、開示内容による異なる係止部材構成を有する送達装置の追加例示的実施形態を示す、異なる図である。ここで図２６から図２７を参照して、開示内容によるラッチ機構の代替実施形態が提供される。たとえば、図２６は、回転ラッチ４０Ａを有する装置１０１を示す。たとえば図２７に示されるような別の例示的実施形態では、装置１０２はドローラッチ４０Ｂを有することができる。図２６から図２７に示される送達装置は各々、本明細書に説明されるその他の例示的装置の特徴のいずれの組み合わせも有することができる。
【００８１】
図２８Ａから図２８Ｄは各々、開示内容による輪郭筐体構成を有する送達装置のさらに別の例示的実施形態を示す、異なる図である。ここで図２８Ａから図２８Ｄを参照すると、装置１０３は、装置１００と比較すると、代替のキーパッドレイアウトならびにカセット筐体１１およびポンプ筐体３１の形状を有することができる。図２８Ａから図２８Ｄに示される送達装置は、本明細書に説明されるその他の例示的装置の特徴のいずれの組み合わせも有することができる。
【００８２】
図２９から図４１は各々、開示内容によるポンプとカセットとの間にヒンジ係合を有する送達装置の追加例示的実施形態を示す、異なる図である。ここで図２９から図４１を参照して、限定目的ではなく説明目的のため、開示内容による送達装置の代替実施形態が提供される。たとえば、装置１０４は、カセット筐体１１を含むカセット１０を有する。カセット筐体１１は、基部領域１３を有することができる（たとえば、図２９に示される）。装置１０４はまた、ポンプ筐体３１を含むポンプ３０も有する。ポンプ筐体３１は、カセット基部領域１３を受容するための受容領域３２を有することができる（たとえば、図３１に示される）。流体駆動コンポーネントとして動作可能なポンプアセンブリは、受容領域に近接して設けられることが可能である。たとえば、および本明細書において具体化されるように、カセット１０はポンプ３０の一端に接続されることが可能である。さらに、および本明細書において具体化されるように、カセット１０は、９０度の角度でポンプ筐体３１によって受容され（たとえば、図３１から図３２に示される）、ポンプ筐体３１と略一直線のまたは平行な配向となるようにポンプ筐体３１に対して９０度回転することができる（たとえば、図３３から図３５に示される）。望ましければ、カセット１０は、バネ荷重クリップ５０（図３５に示される）と係合するように回転させられることが可能であり、これによってカセットを筐体３１の受容領域３２の中に保持する。さらに、および本明細書において具体化されるように、クリップ５０は、筐体３１からカセット１０を離脱させるために交替させられることが可能である。装置１０４はまた、本明細書に説明されるように構成されることか可能な、ラッチ４０も含むことができる。図２９から図４１に示される送達装置は各々、本明細書に説明されるその他の例示的装置の特徴のいずれの組み合わせも有することができる。
【００８３】
図４２Ａから図４３Ｄは各々、開示内容による輪郭筐体構成を有する送達装置の様々な例示的実施形態を示す、異なる図である。ここで図４２Ａから図４２Ｃおよび図４３Ａから図４３Ｄを参照して、限定目的ではなく説明目的のため、開示内容による送達装置の代替実施形態が提供される。図示されるように、装置１０５および１０６は、装置１００と比較すると、代替のキーパッドレイアウトならびにカセット筐体１１およびポンプ筐体３１の形状を有することができる。図４２Ａから図４３Ｄに示される送達装置は各々、本明細書に説明されるその他の例示的装置の特徴のいずれの組み合わせも有することができる。
【００８４】
図４４から図５９は、開示内容による異なる筐体構成を有する送達装置の様々な追加例示的実施形態を示す、異なる図である。ここで図４４から図５９を参照して、限定目的ではなく説明目的のため、開示内容による送達装置の代替実施形態が提供される。図示されるように、開示内容による送達装置は、装置１００と比較すると、代替のキーパッドレイアウトならびにカセット筐体およびポンプ筐体の形状を有することができる。図４４から図５９に示される送達装置は各々、本明細書に説明されるその他の例示的装置の特徴のいずれの組み合わせも有することができる。
【００８５】
開示内容は特定の好適な実施形態に関連して本明細書に説明されているが、その範囲から逸脱することなく様々な修正および改良が開示内容に施されてもよいことを、当業者は認識するだろう。また、開示内容の一実施形態の個々の特徴は、ある実施形態の図面では説明および図示されるが他の実施形態にはない可能性があるものの、一実施形態の個々の特徴が、別の実施形態の１つ以上の特徴または複数の実施形態からの特徴と組み合わせ可能であることは、明らかである。
【００８６】
以下に請求される特定の実施形態に加えて、開示内容はまた、以下に請求される従属的な特徴および先に開示されたもののその他いずれか可能な組み合わせを有するその他の実施形態も、対象とする。このため、従属請求項に提示され、上記で開示された、具体的な特徴は、開示内容がその他いずれか可能な組み合わせを有するその他の実施形態も特に対象とするものとして認識されるように、別途開示内容の範囲内で互いに組み合わせられることが可能である。したがって、開示内容の特定の実施形態の上記説明は、図解および説明目的のために提示されたものである。これは包括的であるように、または開示されるこれら実施形態に開示内容を限定するように、意図されるものではない。
【００８７】
開示内容の精神および範囲から逸脱することなく、開示内容の方法およびシステムにおいて様々な修正および変更がなされてもよいことは、当業者にとって明らかであろう。したがって、開示内容は、添付請求項およびこれらの同等物の範囲内の修正および変更を含むように、意図される。
【図１】
0006591423.tif 000002
【図２】
0006591423.tif 000003
【図３】
0006591423.tif 000004
【図４Ａ】
0006591423.tif 000005
【図４Ｂ】
0006591423.tif 000006
【図４Ｃ】
0006591423.tif 000007
【図４Ｄ】
0006591423.tif 000008
【図４Ｅ】
0006591423.tif 000009
【図４Ｆ】
0006591423.tif 000010
【図４Ｇ】
0006591423.tif 000011
【図５Ａ】
0006591423.tif 000012
【図５Ｂ】
0006591423.tif 000013
【図５Ｃ】
0006591423.tif 000014
【図５Ｄ】
0006591423.tif 000015
【図５Ｅ】
0006591423.tif 000016
【図５Ｆ】
0006591423.tif 000017
【図５Ｇ】
0006591423.tif 000018
【図６】
0006591423.tif 000019
【図７Ａ】
0006591423.tif 000020
【図７Ｂ】
0006591423.tif 000021
【図７Ｃ】
0006591423.tif 000022
【図７Ｄ】
0006591423.tif 000023
【図７Ｅ】
0006591423.tif 000024
【図７Ｆ】
0006591423.tif 000025
【図７Ｇ】
0006591423.tif 000026
【図８Ａ】
0006591423.tif 000027
【図８Ｂ】
0006591423.tif 000028
【図９Ａ】
0006591423.tif 000029
【図９Ｂ】
0006591423.tif 000030
【図９Ｃ】
0006591423.tif 000031
【図９Ｄ】
0006591423.tif 000032
【図１０】
0006591423.tif 000033
【図１１Ａ】
0006591423.tif 000034
【図１１Ｂ】
0006591423.tif 000035
【図１１Ｃ】
0006591423.tif 000036
【図１２Ａ】
0006591423.tif 000037
【図１２Ｂ】
0006591423.tif 000038
【図１３】
0006591423.tif 000039
【図１４Ａ】
0006591423.tif 000040
【図１４Ｂ】
0006591423.tif 000041
【図１４Ｃ】
0006591423.tif 000042
【図１４Ｄ】
0006591423.tif 000043
【図１４Ｅ】
0006591423.tif 000044
【図１５Ａ】
0006591423.tif 000045
【図１５Ｂ】
0006591423.tif 000046
【図１５Ｃ】
0006591423.tif 000047
【図１６】
0006591423.tif 000048
【図１７】
0006591423.tif 000049
【図１８】
0006591423.tif 000050
【図１９Ａ】
0006591423.tif 000051
【図１９Ｂ】
0006591423.tif 000052
【図２０】
0006591423.tif 000053
【図２１】
0006591423.tif 000054
【図２２】
0006591423.tif 000055
【図２３】
0006591423.tif 000056
【図２４】
0006591423.tif 000057
【図２５】
0006591423.tif 000058
【図２６】
0006591423.tif 000059
【図２７】
0006591423.tif 000060
【図２８Ａ】
0006591423.tif 000061
【図２８Ｂ】
0006591423.tif 000062
【図２８Ｃ】
0006591423.tif 000063
【図２８Ｄ】
0006591423.tif 000064
【図２９】
0006591423.tif 000065
【図３０】
0006591423.tif 000066
【図３１】
0006591423.tif 000067
【図３２】
0006591423.tif 000068
【図３３】
0006591423.tif 000069
【図３４】
0006591423.tif 000070
【図３５】
0006591423.tif 000071
【図３６】
0006591423.tif 000072
【図３７】
0006591423.tif 000073
【図３８】
0006591423.tif 000074
【図３９】
0006591423.tif 000075
【図４０】
0006591423.tif 000076
【図４１】
0006591423.tif 000077
【図４２Ａ】
0006591423.tif 000078
【図４２Ｂ】
0006591423.tif 000079
【図４２Ｃ】
0006591423.tif 000080
【図４３Ａ】
0006591423.tif 000081
【図４３Ｂ】
0006591423.tif 000082
【図４３Ｃ】
0006591423.tif 000083
【図４３Ｄ】
0006591423.tif 000084
【図４４】
0006591423.tif 000085
【図４５】
0006591423.tif 000086
【図４６】
0006591423.tif 000087
【図４７】
0006591423.tif 000088
【図４８】
0006591423.tif 000089
【図４９】
0006591423.tif 000090
【図５０】
0006591423.tif 000091
【図５１】
0006591423.tif 000092
【図５２】
0006591423.tif 000093
【図５３】
0006591423.tif 000094
【図５４】
0006591423.tif 000095
【図５５】
0006591423.tif 000096
【図５６】
0006591423.tif 000097
【図５７】
0006591423.tif 000098
【図５８】
0006591423.tif 000099
【図５９】
0006591423.tif 000100